(57)【要約】【課題】加熱部材から記録媒体を剥離しやすくすることができる定着装置及び画像形成装置を提供する。【解決手段】定着装置４００は、加熱ロール４１０と、ベルト部材４３０と、加熱ロール４１０とベルト部材４３０とが接触する接触部Ｎから排出された記録媒体Ｐを案内する案内部４５０とを有し、案内部４５０は、接触部Ｎの出口Ｎ２から案内部４５０までの距離Ｌ１が、加熱ロール４１０とベルト部材４３０との間の圧力が低い位置において、加熱ロール４１０とベルト部材４３０との間の圧力が高い位置においてよりも長い。【選択図】図６
2019124752.tif 000002
【特許請求の範囲】
【請求項１】
少なくとも表面が弾性体であり、トナー像に熱を加える加熱部材と、
前記加熱部材に記録媒体を押し付ける押付部材と、
前記加熱部材に非接触であって、前記加熱部材と前記押付部材とが接触する接触部から排出された記録媒体を記録媒体の移動方向における下流側に案内する案内部と、
を有し、
前記案内部は、前記接触部の出口から前記案内部の前記接触部の出口側の端部までの距離が、前記加熱部材の長手方向における位置により異なり、前記加熱部材と前記押付部材との間の圧力が低い位置における前記距離は、前記加熱部材と前記押付部材との間の圧力が高い位置における前記距離よりも長い定着装置。
【請求項２】
少なくとも表面が弾性体であり、トナー像に熱を加える加熱部材と、
前記加熱部材に記録媒体を押し付ける押付部材と、
前記加熱部材に非接触であって、前記加熱部材と前記押付部材とが接触する接触部から排出された記録媒体を記録媒体の移動方向における下流側に案内する案内部と、
前記加熱部材及び前記押付部材の少なくとも一方を、前記加熱部材と前記押付部材とが接近する方向に付勢する付勢機構であって、前記加熱部材の長手方向における前記加熱部材及び前記押付部材の両端部側にそれぞれに配置された前記付勢機構と、
を有し、
前記案内部は、前記接触部の出口から前記案内部の前記接触部の出口側の端部までの距離が、前記加熱部材の長手方向における位置により異なり、前記加熱部材及び前記押付部材の中央に近い位置における前記距離は、前記加熱部材及び前記押付部の中央から遠い位置における前記距離よりも長い定着装置。
【請求項３】
前記案内部は、前記案内部の前記接触部の出口側の端部から前記加熱部材の表面までの距離の前記加熱部材の長手方向における位置ごとの差が、前記接触部の出口から前記案内部の前記接触部の出口側の端部までの距離の前記加熱部材の長手方向における位置ごとの差よりも小さい請求項１又は２記載の定着装置。
【請求項４】
前記案内部は、記加熱部材の長手方向における位置が違っても、前記案内部の前記接触部の出口側の端部から前記加熱部材の表面までの距離が同じである請求項３記載の定着装置。
【請求項５】
記録媒体の搬送方向において前記案内部材よりも下流側に配置されていて、前記案内部材により案内された記録媒体を搬送する搬送部材をさらに有し、
前記案内部材は、前記案内部の前記搬送部材側の端部から前記搬送部材までの距離の前記加熱部材の長手方向における位置ごとの差が、前記案内部の前記搬送部材と逆側の端部から前記搬送部材までの距離の前記加熱部材の長手方向における位置ごとの差よりも小さい請求項１から４いずれか記載の定着装置。
【請求項６】
前記案内部は、記加熱部材の長手方向における位置が違っても、前記案内部の前記搬送部材側の端部から前記搬送部材までの距離が同じである請求項５記載の定着装置。
【請求項７】
記録媒体の表面にトナー像を形成するトナー像形成部と、
請求項１から６いずれか記載の定着装置と、
を有する画像形成装置。
【発明の詳細な説明】
【技術分野】
【０００１】
本発明は、定着装置及び画像形成装置に関する。
【背景技術】
【０００２】
特許文献１には、用紙に転写されたトナー像を加熱により前記用紙に定着させる定着装置であって、前記トナー像を加熱する定着ローラと、前記定着ローラに押圧接触して前記定着ローラとともにニップ部を形成し、前記ニップ部で前記トナー像を前記用紙に定着させる加圧ローラと、前記ニップ部よりも前記用紙の搬送方向下流側において、前記定着ローラの通紙領域内に前記定着ローラの軸心に沿って複数並列配置され、前記定着ローラから前記用紙を分離する分離爪とを備え、前記複数の分離爪は、それぞれ、前記定着ローラの周面に接触する先端爪部を含み、前記通紙領域の少なくとも一方の端部近傍に位置する分離爪の先端爪部から前記ニップ部までの間隔が、前記端部近傍以外に位置する分離爪の先端爪部から前記ニップ部までの間隔よりも小さくなるように配置されていることを特徴とする定着装置が記載されている。
【先行技術文献】
【特許文献】
【０００３】
【特許文献１】特開２００７−３２２５９０号公報
【発明の概要】
【発明が解決しようとする課題】
【０００４】
定着装置においては、加熱部材と押付部材とが接触する接触部から排出される記録媒体が加熱部材に付着し、記録媒体が加熱部材から剥離しない虞がある。
【０００５】
本発明は、接触部の出口から案内部の接触部の出口側の端部までの距離が、加熱部材の長手方向における位置が異なっても同じである場合と比較して、加熱部材から記録媒体を剥離しやすくすることができる定着装置及び画像形成装置を提供することを目的とする。
【課題を解決するための手段】
【０００６】
請求項１に係る本発明は、
少なくとも表面が弾性体であり、トナー像に熱を加える加熱部材と、
前記加熱部材に記録媒体を押し付ける押付部材と、
前記加熱部材に非接触であって、前記加熱部材と前記押付部材とが接触する接触部から排出された記録媒体を記録媒体の移動方向における下流側に案内する案内部と、
を有し、
前記案内部は、前記接触部の出口から前記案内部の前記接触部の出口側の端部までの距離が、前記加熱部材の長手方向における位置により異なり、前記加熱部材と前記押付部材との間の圧力が低い位置における前記距離は、前記加熱部材と前記押付部材との間の圧力が高い位置における前記距離よりも長い定着装置である。
【０００７】
請求項２に係る本発明は、
少なくとも表面が弾性体であり、トナー像に熱を加える加熱部材と、
前記加熱部材に記録媒体を押し付ける押付部材と、
前記加熱部材に非接触であって、前記加熱部材と前記押付部材とが接触する接触部から排出された記録媒体を記録媒体の移動方向における下流側に案内する案内部と、
前記加熱部材及び前記押付部材の少なくとも一方を、前記加熱部材と前記押付部材とが接近する方向に付勢する付勢機構であって、前記加熱部材の長手方向における前記加熱部材及び前記押付部材の両端部側にそれぞれに配置された前記付勢機構と、
を有し、
前記案内部は、前記接触部の出口から前記案内部の前記接触部の出口側の端部までの距離が、前記加熱部材の長手方向における位置により異なり、前記加熱部材及び前記押付部材の中央に近い位置における前記距離は、前記加熱部材及び前記押付部の中央から遠い位置における前記距離よりも長い定着装置である。
【０００８】
請求項３に係る本発明は、前記案内部は、前記案内部の前記接触部の出口側の端部から前記加熱部材の表面までの距離の前記加熱部材の長手方向における位置ごとの差が、前記接触部の出口から前記案内部の前記接触部の出口側の端部までの距離の前記加熱部材の長手方向における位置ごとの差よりも小さい請求項１又は２記載の定着装置である。
【０００９】
請求項４に係る本発明、前記案内部は、記加熱部材の長手方向における位置が違っても、前記案内部の前記接触部の出口側の端部から前記加熱部材の表面までの距離が同じである請求項３記載の定着装置である。
【００１０】
請求項５に係る本発明は、
記録媒体の搬送方向において前記案内部材よりも下流側に配置されていて、前記案内部材により案内された記録媒体を搬送する搬送部材をさらに有し、
前記案内部材は、前記案内部の前記搬送部材側の端部から前記搬送部材までの距離の前記加熱部材の長手方向における位置ごとの差が、前記案内部の前記搬送部材と逆側の端部から前記搬送部材までの距離の前記加熱部材の長手方向における位置ごとの差よりも小さい請求項１から４いずれか記載の定着装置である。
【００１１】
請求項６に係る本発明は、前記案内部は、記加熱部材の長手方向における位置が違っても、前記案内部の前記搬送部材側の端部から前記搬送部材までの距離が同じである請求項５記載の定着装置である。
【００１２】
請求項７に係る本発明は、
記録媒体の表面にトナー像を形成するトナー像形成部と、
請求項１から６いずれか記載の定着装置と、
を有する画像形成装置である。
【発明の効果】
【００１３】
請求項１に係る本発明によれば、加熱部材と押付部材との間の圧力の大きさが異なっても、接触部の出口から案内部までの距離が同じである場合と比較して、加熱部材から記録媒体を剥離しやすくすることができる定着装置を提供することができる。
【００１４】
請求項２に係る本発明によれば、加熱部材及び押付部材の中央からの距離が異なっても、接触部の出口から案内部までの距離が同じである場合と比較して、加熱部材から記録媒体を剥離しやすくすることができる定着装置を提供することができる。
【００１５】
請求項３に係る本発明によれば、案内部から加熱部材の表面までの距離の加熱部材の長手方向における位置ごとの差と、接触部の出口から案内部までの距離の加熱部材の長手方向における位置ごとの差とが同じである場合と比較して、案内部を加熱部材の表面に接近させることができる。
【００１６】
請求項４に係る本発明によれば、加熱部材の長手方向における位置ごとに、案内部から加熱部材表面までの距離が異なる場合と比較して、案内部を加熱部材の表面に接近させることができる。
【００１７】
請求項５に係る本発明によれば、案内部の搬送部材側の端部から搬送部材までの距離の加熱部材の長手方向における位置ごとの差が、案内部の搬送部材と逆側の端部から搬送部材までの距離の加熱部材の長手方向における位置ごとの差と同じである場合と比較して、記録部材の搬送部材側への移動を安定させることができる。
【００１８】
請求項６に係る本発明によれば、加熱部材の長手方向における位置ごとに案内部の搬送部材側の端部から搬送部材までの距離が異なる場合と比較して、記録媒体の搬送部材側への移動を安定させることができる。
【００１９】
請求項７に係る本発明によれば、加熱部材と押付部材との間の圧力の大きさが異なっても、接触部の出口から案内部までの距離が同じである場合と比較して、加熱部材から記録媒体を剥離しやすくすることができ、加熱部材及び押付部材の中央からの距離が異なっても、接触部の出口から案内部までの距離が同じである場合と比較して、加熱部材から記録媒体を剥離しやすくすることができる画像形成装置を提供することができる。
【図面の簡単な説明】
【００２０】
【図１】本発明の実施形態で用いられる画像形成装置を示す断面図である。
【図２】図１に示す画像形成装置が有する定着装置の断面を前側から示す図である。
【図３】図２に示す定着装置を図１における矢印Ａ−Ａ側から示す図である。
【図４】図２に示す定着装置を図１における矢印Ｂ−Ｂ側から示す図である。
【図５】図３及び図４に示す定着装置が有する加熱ロールと案内部との位置関係を示す第１の図であって、加熱ロールと案内部とを示す斜視図である。
【図６】図３及び図４に示す定着装置が有する加熱ロールと案内部との位置関係を示す第２の図であって、加熱ロール４１０案内部４５０を模式的に示す図である。
【図７】案内部の第１の変形例を示す図である。
【図８】案内部の第２の変形例を示す図である。
【発明を実施するための形態】
【００２１】
次に、本発明を実施するための形態を図面を参照して説明する。図１は、本発明の実施形態で用いられる画像形成装置を前側から示す断面図である。画像形成装置１０は、画像形成装置本体１２を有し、画像形成装置本体１２内に、トナー像形成部１００と、供給装置２００と、定着装置４００とが配置されている。また、画像形成装置本体１２内には、搬送路３００が形成されている。
【００２２】
トナー像形成部１００は、例えば用紙等の記録媒体Ｐの表面にトナー像を形成するものであって、像保持体の一例である感光体ドラム１１０と、感光体ドラム１１０の表面を帯電する帯電装置１１２と、帯電装置１１２によって帯電された感光体ドラム１１０の表面に潜像を形成する潜像形成装置１１４と、潜像形成装置１１４が形成した潜像をトナーで現像してトナー像とする現像装置１１６と、現像装置１１６によって現像されたトナー像を記録媒体Ｐに転写する転写装置１１８と、感光体ドラム１１０の表面を清掃する清掃装置１２２とを有する。
【００２３】
供給装置２００は、記録媒体Ｐが収納されている収納部２０２と、送出し装置２０４とを有し、送出し装置２０４で送り出すようにして、収納部２０２に収納された記録媒体Ｐをトナー像形成部１００へと供給する。
【００２４】
搬送路３００は、供給装置２００からトナー像形成部１００へと記録媒体Ｐを搬送し、トナー像形成部１００でトナー像が定着された記録媒体Ｐを定着装置４００へと搬送し、さらには、定着装置４００でトナー像が形成された記録媒体Ｐを画像形成装置本体１２外へと排出するように搬送する。また、搬送路３００に沿って、記録媒体Ｐの搬送方向における上流側から順に、前述の送出し装置２０４と、レジストロール３１０と、先述の定着装置４００と、排出ロール３２０とが配置されている。
【００２５】
レジストロール３１０は、上流側から搬送されてきた記録媒体Ｐの先端部の移動を一時的に停止させ、トナー像形成部１００がトナー像を形成するタイミングに合致させるように、記録媒体Ｐ先端の移動を再開させる。
【００２６】
排出ロール３２０は、搬送部材の一例であって、記録媒体Ｐの搬送方向において、後述する案内部４５０よりも下流側に配置されていて、案内部４５０により案内された記録媒体Ｐを画像形成装置本体１２外へと排出するように搬送する。
【００２７】
定着装置４００は、トナー像形成部１００で形成され、記録媒体Ｐに転写されたトナー像を、例えば熱と圧力とを用いて記録媒体Ｐに定着させる。定着装置４００の詳細は後述する。
【００２８】
図２は、定着装置４００を前側から示す断面図であり、図３におけるＣ−Ｃ線断面を示す断面図である。図２に示すように、定着装置４００は、加熱ロール４１０を有する。加熱ロール４１０は、加熱部材の一例であって、少なくとも表面が弾性体４１２であり、記録媒体Ｐに転写されたトナー像に熱を加える。また、加熱ロール４１０は、駆動装置（不図示）に連結されていて、駆動装置から駆動が伝達されることで、図２に示す矢印ａ方向に回転する。また、加熱ロール４１０は、中空の芯金４１４をさらに有し、芯金４１４の表面が弾性体４１２で覆われている。また、芯金４１４の中空部には、熱源４１６が配置されている。
【００２９】
弾性体４１２の材質としては、例えば耐熱性を有するシリコーンゴムを用いることができる。また、熱源４１６としては、例えばハロゲンランプを用いることができる。
【００３０】
定着装置４００は、ベルト部材４３０をさらに有する。ベルト部材４３０は、押付部材の一例であって、記録媒体Ｐを加熱ロール４１０に対して押し付ける。また、ベルト部材４３０は、例えば帯状であり、例えば無端状であって、支持部４３２によって回転することができるように支持されている。また、ベルト部材４３０は、例えば加熱ロール４１０に従動するようにして、図２に示す矢印ｂ方向に回転する。
【００３１】
ベルト部材４３０を押付部材として用いることに替えて、例えば、ローラ（不図示）を押付部材として用いてもよい。また、ベルト部材４３０を押付部材として用いることに替えて、所謂加圧パッド（不図示）を押付部材として用いてもよい。
【００３２】
支持部４３２には、後側端部に側板４３４Ｒが装着されていて、前側端部に側板４３４Ｆ（図３において不図示、図４、図５を参照）が装着されている。
【００３３】
以上のように構成された定着装置４００においては、加熱ロール４１０とベルト部材４３０とが接触する接触部Ｎ内で記録媒体Ｐと記録媒体Ｐに転写されたトナー像とが加熱され、熱と圧力とによってトナー像が記録媒体Ｐに定着される。
【００３４】
支持部４３２のベルト部材４３０を介して加熱ロール４１０に接触している部分は、弾性体４１２よりも硬く、弾性体４１２よりも変形しにくい材質から形成されている。このため、加熱ロール４１０及びベルト部材４３０の少なくとも一方が、加熱ロール４１０とベルト部材４３０とが互いに接近する方向に付勢されると、弾性体４１２が中心側に凹むように弾性変形する。そして、弾性体４１２が凹むように変形するため、接触部Ｎの出口Ｎ２部分において、接触部Ｎから排出される記録媒体Ｐに記録媒体Ｐを湾曲させる力が加えられる。そして、力が加えられ、湾曲した記録媒体Ｐの剛性（腰）によって、記録媒体Ｐが加熱ロール４１０から分離する。
【００３５】
ここで、記録媒体Ｐに加えられる力が、加熱ロール４１０の長手方向における位置によって異なることがあり、加熱ロール４１０の長手方向における位置ごとに記録媒体Ｐの生じる湾曲と剛性とが一定とならないことがある。また、例えば記録媒体Ｐの厚さや材質、画像形成装置本体１２内の湿度、温度等の影響によって、記録媒体Ｐに生じる湾曲と、記録媒体Ｐの剛性とも変化する。このため、定着装置４００においては、記録媒体Ｐの全部分又は一部分が加熱ロール４１０から剥離せず、記録媒体Ｐが加熱ロール４１０に巻く付く虞がある。
【００３６】
定着装置４００は、ハウジング４４０をさらに有する。ハウジング４４０は、構造体の一例であって、例えば軸受等の支持機構（不図示）を用いて、加熱ロール４１０を回転することができるように支持している。
【００３７】
定着装置４００は、案内部４５０をさらに有する。案内部４５０は、接触部Ｎから排出された記録媒体Ｐを記録媒体Ｐの搬送方向における下流側に案内する。また、この実施形態においては、案内部４５０は、ハウジング４４０の一部として構成されている。すなわち、この実施形態においては、案内部４５０が、加熱ロール４１０を支持する部材であるハウジング４４０と一体となっている。
【００３８】
案内部４５０をハウジング４４０と一体とすることに替えて、案内部４５０をハウジング４４０とは別部材としてもよい。案内部４５０とハウジング４４０とを別体とする場合、案内部４５０は、例えば画像形成装置本体１２に対して装着される。
【００３９】
案内部４５０は、加熱ロール４１０に非接触である。この点で、加熱ロール４１０の表面に接触して、加熱ロール４１０の表面か記録媒体Ｐを分離させる例えば分離爪等の分離部材とは異なる。
【００４０】
案内部４５０は、板状部４６０を有している。板状部４６０は、その右端部が加熱ロール４１０近傍に位置している。また、板状部４６０は、右端部側が湾曲していて、ベルト部材４３０等の長手方向における中央ｃ（図３、図４を参照）側ほど左側に位置し、ベルト部材４３０等の長手方向における端部側に位置するほど右側に位置している（図３を参照）。また、板状部４６０は、加熱ロール４１０等の長手方向における中央ｃ側ほど下側に位置し、加熱ロール４１０等の長手方向のおける端部側ほど上側に位置している（図４を参照）。
【００４１】
案内部４５０は、例えば１８個等の複数のリブ部４７０（図３、図４も参照）をさらに有している。リブ部４７０は、それぞれが垂直となるように板状部４６０に取り付けられていて、板状部４６０を補強するとともに、その上端部で記録媒体Ｐを案内するようになっている。
【００４２】
図３は、定着装置４００を図１における矢印Ａ−Ａ方向から示す図であって、定着装置４００の平面図である。尚、図３においては、図示の便宜上、ベルト部材４３０を想像線（二点鎖線）で示している。また、図４は、定着装置４００を図１における矢印Ｂ−Ｂ方向から示す図であって、定着装置４００の右側面図である。尚、図４においては、図示の便宜上、ベルト部材４３０に加えて、加熱ロール４１０を二点鎖線で示している。
【００４３】
図３及び図４に示すように、定着装置４００は、コイルスプリング４９０Ｆとコイルスプリング４９０Ｒとをさらに有する。コイルスプリング４９０Ｆとコイルスプリング４９０Ｒとは、それぞれが付勢機構の一例であって、ベルト部材４３０を、加熱ロール４１０とベルト部材４３０とが互いに接近する方向に付勢している。ここで、コイルスプリング４９０Ｆの上端部は、画像形成装置本体１２の一部を構成する本体フレーム１４に固定されていて、コイルスプリング４９０Ｆの下端部は、側板４３４Ｆに接触している。また、コイルスプリング４９０Ｒの上端部は、本体フレーム１４に固定されていて、コイルスプリング４９０Ｒの下端部は、側板４３４Ｒに接触している。
【００４４】
以上のような構成によって、コイルスプリング４９０Ｆとコイルスプリング４９０Ｒとは、側板４３４Ｆ、側板４３４Ｒ、支持部４３２及びベルト部材４３０を一体として加熱ロール４１０側に付勢し、ベルト部材４３０を加熱ロール４１０に対して押し付けている。
【００４５】
また、コイルスプリング４９０Ｆは、加熱ロール４１０及びベルト部材４３０の長手方向（以下、加熱ロール４１０等の長手方向とする）における前側に配置されていて、コイルスプリング４９０Ｒは、加熱ロール４１０等の長手方向における後側に配置されている。すなわち、コイルスプリング４９０Ｆ及びコイルスプリング４９０Ｒは、加熱ロール４１０等の長手方向における端部側にそれぞれが配置されている。
【００４６】
以上のように、この実施例においては、コイルスプリング４９０Ｆ及びコイルスプリング４９０Ｒが、加熱ロール４１０等の長手方向における端部側にそれぞれに配置されているため、加熱ロール４１０とベルト部材４３０との間の圧力が、加熱ロール４１０等の長手方向における位置によって異なる値となる。具体的には、加熱ロール４１０とベルト部材４３０と間の圧力が、加熱ロール４１０等の長手方向における端部側が高く、中央ｃ側が低くなっている。
【００４７】
この実施形態においては、付勢機構の一例であるコイルスプリング４９０Ｆと、コイルスプリング４９０Ｒとは、ベルト部材４３０を、加熱ロール４１０とベルト部材４３０とが接近する方向に付勢しているものの、付勢機構は、加熱ロール４１０とベルト部材４３０との少なくとも一方を、加熱ロール４１０とベルト部材４３０とが接近方向に付勢するものであればよい。すなわち、付勢機構は、加熱ロール４１０を加熱ロール４１０とベルト部材４３０とが接近方向に付勢する機構であってもよいし、加熱ロール４１０とベルト部材４３０との両方を、加熱ロール４１０とベルト部材４３０とが接近方向に付勢する方向に付勢する機構であってもよい。
【００４８】
図５は、加熱ロール４１０と案内部４５０との位置関係を示す第１の図であり、加熱ロール４１０と案内部４５０とを示す斜視図である。図５に示すように、案内部４５０は、図５に矢印で示す記録媒体Ｐの搬送方向において加熱ロール４１０よりも下流側に配置されていて、接触部Ｎ（例えば、図２を参照）から排出された記録媒体Ｐを記録媒体Ｐの搬送方向における下流側へと案内している。
【００４９】
また、図５に示すように、１８個のリブ部４７０のうちの最も前側のリブ部４７０をリブ部４７０ａとして、前側から９個めのリブ部４７０をリブ部４７０ｂとして、前側から１０個めのリブ部４７０をリブ部４７０ｃとする。ここで、加熱ロール４１０の長手方向における加熱ロール４１０の中央ｃが、リブ部４７０ｂとリブ部４７０ｃとの間であって、リブ部４７０ｂとリブ部４７０ｃとから等距離となるように、加熱ロール４１０と案内部４５０との位置関係が定められている。
【００５０】
また、ベルト部材４３０も加熱ロール４１０と同様に、その長手方向における中央ｃが、リブ部４７０ｂとリブ部４７０ｃとの間の位置であって、リブ部４７０ｂとリブ部４７０ｃとから等距離となるように案内部４５０との位置関係が定められている。
【００５１】
図６は、加熱ロール４１０と案内部４５０との位置関係を示す第２の図であり、加熱ロール４１０と案内部４５０とを模式的に示す図である。図６においては、１８個のリブ部４７０のうちのリブ部４７０ａ、リブ部４７０ｂ以外のリブ部４７０の図示を省略している。
【００５２】
以下の説明において、図６に示すように、案内部４５０の右側の端部を先端部４５２とし、案内部４５０の長手方向においてリブ部４７０ａの位置における先端部４５２を先端部４５２ａとし、案内部４５０の長手方向においてリブ部４７０ｂの位置における先端部４５２を先端部４５２ｂとする。ここで、先端部４５２は、案内部４５０の接触部Ｎの出口Ｎ２側の端部である。
【００５３】
また、図６に示すように、接触部Ｎの出口Ｎ２から案内部４５０の先端部４５２までの距離を距離Ｌ１とし、案内部４５０の長手方向においてリブ部４７０ａの位置における距離Ｌ１を距離Ｌ１ａとし、案内部４５０の長手方向においてリブ部４７０ｂの位置における距離Ｌ１を距離Ｌ１ｂとする。ここで、距離Ｌ１ａと距離Ｌ１ｂとを比較すると、距離Ｌ１ａと距離Ｌ１ｂとは互いに異なり、距離Ｌ１ｂが距離Ｌ２ａよりも長くなっている。
【００５４】
すなわち、この実施形態おいては、案内部４５０は、接触部Ｎの出口Ｎ２から案内部４５０の出口Ｎ２側の端部までの距離Ｌ１が加熱ロール４１０の長手方向における位置により異なり、加熱ロール４１０の長手方向における加熱ロール４１０の中央ｃ（図４、図５を参照）に近い位置における距離Ｌ１は、加熱ロール４１０の長手方向における加熱ロールの中央ｃから遠い位置における距離Ｌ１よりも長くなっている。
【００５５】
また、先述のように、この実施形態においては、加熱ロール４１０とベルト部材４３０との間の圧力は、加熱ロール４１０及びベルト部材４３０の長手方向における中央ｃ側に近い位置が高く、加熱ロール４１０及びベルト部材４３０の長手方向における中央ｃ側から遠い位置が低い。このため、この実施形態においては、案内部４５０で、接触部Ｎの出口Ｎ２から案内部４５０の出口Ｎ２側までの距離Ｌ１が加熱ロール４１０の長手方向における位置により異なるようにして、加熱ロール４１０とベルト部材４３０との間の圧力が低い位置における距離Ｌ１が、加熱ロール４１０とベルト部材４３０との圧力が高い位置おける距離Ｌ１よりも長くなるようにしている。
【００５６】
すなわち、定着装置４００では、加熱ロール４１０等の長手方向において記録媒体Ｐの加熱ロール４１０及びベルト部材４３０から加えられる圧力が低い部分であって、記録媒体Ｐの生じる剛性が低い位置であって、記録媒体Ｐの加熱ロール４１０から剥離しにくい部分の距離Ｌ１を、記録媒体Ｐの加熱ロール４１０及びベルト部材４３０から加えられる圧力が高い部分であって、記録媒体Ｐに生じる剛性が高い部分であって、記録媒体Ｐの加熱ロール４１０から剥離しやすい部分の距離Ｌ１よりも長くしている。
【００５７】
また、図６に示すように、案内部４５０の先端部４５２から加熱ロール４１０の表面までの距離を距離Ｌ２とし、案内部４５０の長手方向においてリブ部４７０ａの位置における距離Ｌ２を距離Ｌ２ａとし、案内部４５０の長手方向においてリブ部４７０ｂの位置における距離Ｌ２を距離Ｌ２ｂとする。ここで、先端部４５２から加熱ロール４１０の表面までの距離とは、先端部４５２から加熱ロール４１０の表面に下ろした垂線の足の長さを指すものとする。
【００５８】
図６に示すように、距離Ｌ２ａと距離Ｌ２ｂとの距離の差は、距離Ｌ１ａと距離Ｌ１ｂとの差よりも小さい。すなわち、定着装置４００においては、案内部４５０の接触部Ｎの出口Ｎ２側の端部である先端部４５２から加熱ロール４１０の表面までの距離Ｌ２の加熱ロール４１０の長手方向における位置ごとの差が、接触部Ｎの出口Ｎ２から先端部４５２までの距離である距離Ｌ１の加熱ロール４１０の長手方向における位置ごとの差よりも小さくなっている。
【００５９】
ここで、加熱ロール４１０の長手方向における位置にかかわらず、距離Ｌ２が同じ長さとなるようにしてもよい。
【００６０】
また、図６に示すように、案内部４５０の左側の端部を後端部４５４とし、案内部４５０の長手方向においてリブ部４７０ａの位置における後端部４５４を後端部４５４ａとし、案内部４５０の長手方向においてリブ部４７０ｂの位置における後端部４５４を後端部４５４ｂとする。ここで、後端部４５４は、案内部４５０の排出ロール３２０側の端部である。
【００６１】
また、図６に示すように、案内部４５０の後端部４５４から排出ロール３２０までの距離を距離Ｌ３とし、案内部４５０の長手方向においてリブ部４７０ａの位置における距離Ｌ３を距離Ｌ３ａとし、案内部４５０の長手方向においてリブ部４７０ｂの位置における距離Ｌ３を距離Ｌ３ｂとする。また、図６に示すように、案内部４５０の先端部４５２から排出ロール３２０までの距離を距離Ｌ４として、案内部４５０の長手方向においてリブ部４７０ａの位置における距離Ｌ４を距離Ｌ４ａとし、案内部４５０の長手方向においてリブ部４７０ｂの位置における距離Ｌ４を距離Ｌ４ｂとする。ここで、先端部４５２は、案内部４５０の、排出ロール３２０と逆側の端部である。
【００６２】
ここで、距離Ｌ３ａと、距離Ｌ３ｂと、距離Ｌ４ａと、距離Ｌ４ｂとは、距離Ｌ３ａと距離Ｌ３ｂとの差が、距離Ｌ４ａと距離Ｌ４ｂとの距離の差よりも小さくなっている。すなわち、この実施形態では、案内部４５０は、後端部４５４からの排出ロール３２０までの距離Ｌ３の加熱ロール４１０の長手方向における位置ごとの差が、先端部４５２から排出ロール３２０までの距離Ｌ４の加熱ロール４１０の長手方向における位置ごとの差よりも小さいとの関係になっている。
【００６３】
ここで、加熱ロール４１０等の長手方向における位置にかかわらず、距離Ｌ３を同じ長さとなるようにしてもよい。
【００６４】
図７には、案内部４５０の第１の変形例が模式的に示されている。先述の案内部４５０は、板状部４６０と複数のリブ部４７０とから構成されていた。これに対して、この第１の変形例の案内部４５０は、傾斜面４５６を有する例えば略三角柱形状の立体から構成されている。傾斜面４５６は案内面の一例であって、記録媒体Ｐを案内する。また、傾斜面４５６は、図７に矢印で示す記録媒体Ｐが搬送される方向と交わる方向において、切れ目なく連続している。
【００６５】
図８には、案内部４５０の第２の変形例が模式的に示されている。先述の案内部４５０は、板状部４６０と複数のリブ部４７０とから構成されていた。これに対して、この第２の変形例の案内部４５０は、板状部４６０は有せず、複数のリブ部４７０が連結されるようにして構成されている。
【００６６】
上述の第１の変形例と上述第２の変形例とにおいても、案内部４５０は、接触部Ｎの出口Ｎ２から案内部４５０の先端部４５２までの距離Ｌ１が、加熱ロール４１０の長手方向における位置により異なり、加熱ロール４１０とベルト部材４３０との間の圧力が低い位置における距離Ｌ１が、加熱ロール４１０とベルト部材４３０との間の圧力が高い位置における距離Ｌ１よりも長くなっている。
【００６７】
また、上述の第１の変形例と上述の第２の変形例とにおいても、案内部４５０は、接触部Ｎの出口Ｎ２から案内部４５０の先端部４５２までの距離Ｌ１が、加熱ロール４１０及びベルト部材４３０の中央ｃに近い位置における距離Ｌ１が、加熱ロール４１０及びベルト部材４３０の中央ｃに遠い位置における距離Ｌ１よりも長くなっている。
【符号の説明】
【００６８】
１０・・・画像形成装置
１００・・・トナー像形成部
３２０・・・排出ロール
４００・・・定着装置
４１０・・・加熱ロール
４１２・・・弾性体
４４０・・・ハウジング
４５０・・・案内部
４５２・・・先端部
４５４・・・後端部
４５６・・・傾斜面
４６０・・・板状部
４７０・・・リブ部
４９０Ｆ、４９０Ｒ・・・コイルスプリング
ｃ・・・中央
Ｎ・・・接触部
Ｎ２・・・出口
Ｐ・・・記録媒体
【図１】
2019124752.tif 000003
【図２】
2019124752.tif 000004
【図３】
2019124752.tif 000005
【図４】
2019124752.tif 000006
【図５】
2019124752.tif 000007
【図６】
2019124752.tif 000008
【図７】
2019124752.tif 000009
【図８】
2019124752.tif 000010